(57)【要約】【課題】多層フレキシブル配線板を用いた小型化が可能で、組立性の良いレイアウトのカメラを提供すること。【解決手段】多層フレキシブル基板４は、フレキシブル部４ｅ，４ｆ，４ｇ，４ｈで９０度に曲げられ、電池ボックス２の各面をリジッド部４ａ，４ｂ，４ｃ，４ｄ或はフレキシブル部４ｅ，４ｆ，４ｇ，４ｈで覆うように配置される。多層フレキシブル基板４の配置に対応する電池ボックス２側には一対の位置決め用のボス部及びねじ穴が設けられており、多層フレキシブル基板４上の位置決め穴にボス部を挿入し位置決めした後、ネジにより固定される。【選択図】図１
2006047449.tif 000002
【特許請求の範囲】
【請求項１】
リジッド部とフレキシブル部から成る多層フレキシブル配線板と電池を収納する電池ボックスを有するカメラにおいて、
カメラ筐体内に収容された電池ボックスの複数の面を多層フレキシブル配線板により囲むように配置することを特徴とするカメラ。
【請求項２】
多層フレキシブル配線板においてリジッド部同士が複数のフレキシブル部により接続されることを特徴とする請求項１記載のカメラ。
【請求項３】
複数のフレキシブル部が異なる請求項１における電池ボックスの異なる面に配置されることを特徴とする請求項２記載のカメラ。
【請求項４】
多層フレキシブル配線板においてＣＰＵ回路及び信号処理回路部を電池ボックスの面積の最大の面に配置したことを特徴とする請求項１記載のカメラ。
【請求項５】
多層フレキシブル配線板において電池ボックスの電源端子設置部に電源回路部が配置されていることを特徴とする請求項１記載のカメラ。
【請求項６】
前記カメラは可動部と本体部から成り、前記フレキシブル部により、前記可動部と前記本体部が接続されていることを特徴とする請求項１記載のカメラ。
【請求項７】
可動部は液晶ディスプレイであることを特徴とする請求項６記載のカメラ。
【請求項８】
可動部は電池蓋であることを特徴とする請求項６記載のカメラ。
【請求項９】
可動部はポップアップストロボであることを特徴とする請求項６記載のカメラ。
【請求項１０】
多層フレキシブル配線板に記録メディア収納部が実装されることを特徴とする請求項１記載のカメラ。
【請求項１１】
リジッド部とフレキシブル部から成る多層フレキシブル配線板と記録メディアを収納する記録メディア収納箱及び電池を収納する電池ボックスを有するカメラにおいて、
前記カメラ筐体内に収容された記録メディア収納箱の複数の面を多層フレキシブル配線板により囲むように配置することを特徴とするカメラ。
【請求項１２】
多層フレキシブル配線板においてリジッド部同士が複数のフレキシブル部により接続されることを特徴とする請求項１１記載のカメラ。
【請求項１３】
複数のフレキシブル部が請求項１における記録メディア収納箱の異なる面に配置されることを特徴とする請求項１２記載のカメラ。
【請求項１４】
多層フレキシブル配線板においてＣＰＵ回路及び信号処理回路部をを電池ボックスの面積の最大の面に配置したことを特徴とする請求項１１記載のカメラ。
【請求項１５】
多層フレキシブル配線板において電池ボックスの電源端子設置部に電源回路部が配置されていることを特徴とする請求項１１記載のカメラ。
【請求項１６】
前記カメラは可動部と本体部から成り、前記フレキシブル部により、前記可動部と前記本体部が接続されていることを特徴とする請求項１１記載のカメラ。
【請求項１７】
可動部は液晶ディスプレイであることを特徴とする請求項１６記載のカメラ。
【請求項１８】
可動部は電池蓋であることを特徴とする請求項１６記載のカメラ。
【請求項１９】
可動部はポップアップストロボであることを特徴とする請求項１６記載のカメラ。
【請求項２０】
多層フレキシブル配線板に電源端子が実装されることを特徴とする請求項１１記載のカメラ。
【発明の詳細な説明】
【技術分野】
【０００１】
本発明は、カメラを小型化するための回路基板レイアウトに関する。
【背景技術】
【０００２】
現在、カメラは小型化が進むに連れ、カメラ内部の回路基板の占めるスペースが大きくなっている。斯かる回路基板のレイアウトによってカメラの大きさや性能、量産性が変わってくる。そのため、制御部を搭載したメイン回路基板を周辺回路基板に直交させ電池に沿って配置する等が行われている（例えば、特許文献１参照）。カメラにおける回路基板はリジッド基板とフレキシブル配線板が用いられ、それぞれの基板同士を電気的に接続するためにコネクタを使用するという形が採られている。
【０００３】
或は多層フレキシブル配線板を用いてカメラ内部の狭いスペースの有効利用が試みられている。多層フレキシブル配線板は、航空・
宇宙・ 軍事等の特殊な分野でコネクタ無しプリント配線板同士を接続する技術として採用されてきた。更に、近年の電子機器の小型化によりコネクタレスの接続方式がデジタルカメラ・携帯電話やノートＰＣで必要とされ、市場を成長させてきた。従来の使用例を図８に示す。２１は実装部品、２２は多層フレキシブル配線板、２３は絶縁板である。
【０００４】
【特許文献１】特開２００２−３６５７０６号公報
【特許文献２】特開平１０−１５５１００号公報
【特許文献３】特開平５−３３５７１４号公報
【発明の開示】
【発明が解決しようとする課題】
【０００５】
しかし、リジッド基板とフレキシブル配線板を用いた構成では、コネクタによる接続が必要になる。メイン基板においては、各周辺基板やフレキシブル配線板と接続するために基板上の多くの部分をコネクタが占めることになるため、小型化の妨げとなる。又、コネクタを介することによる電気的信頼性の低下や組立の工数が増える等も挙げられる。
【０００６】
多層フレキシブル配線板を用いた場合でも、対面した両基板上の実装部品がショートしないように絶縁板を用いる必要がある他、絶縁板を用いない方法も提案されている。
【０００７】
しかし、上記方法では、フレキブル配線板を長くする必要がありコストが掛かってしまう。
【０００８】
そこで、本発明は、多層フレキシブル配線板を用いた小型化が可能で、組立性の良いレイアウトを提案することを目的とする。
【課題を解決するための手段】
【０００９】
上述した目的を達成するため、請求項１記載の発明は、リジッド部とフレキシブル部から成る多層フレキシブル配線板と電池を収納する電池ボックスを有するカメラにおいて、カメラ筐体内に収容された電池ボックスの複数の面を多層フレキシブル配線板により囲むように配置することを特徴とする。
【００１０】
請求項２記載の発明は、請求項１記載の発明において、多層フレキシブル配線板においてリジッド部同士が複数のフレキシブル部により接続されることを特徴とする。
【００１１】
請求項３記載の発明は、請求項２記載の発明において、複数のフレキシブル部が異なる請求項１における電池ボックスの異なる面に配置されることを特徴とする。
【００１２】
請求項４記載の発明は、請求項１記載の発明において、多層フレキシブル配線板においてＣＰＵ回路及び信号処理回路部を電池ボックスの面積の最大の面に配置したことを特徴とする。
【００１３】
請求項５記載の発明は、請求項１記載の発明において、多層フレキシブル配線板において電池ボックスの電源端子設置部に電源回路部が配置されていることを特徴とする。
【００１４】
請求項６記載の発明は、請求項１記載の発明において、前記カメラは可動部と本体部から成り、前記フレキシブル部により、前記可動部と前記本体部が接続されていることを特徴とする。
【００１５】
請求項７記載の発明は、請求項６記載の発明において、可動部は液晶ディスプレイであることを特徴とする。
【００１６】
請求項８記載の発明は、請求項６記載の発明において、可動部は電池蓋であることを特徴とする。
【００１７】
請求項９記載の発明は、請求項６記載の発明において、可動部はポップアップストロボであることを特徴とする。
【００１８】
請求項１０記載の発明は、請求項１記載の発明において、多層フレキシブル配線板に記録メディア収納部が実装されることを特徴とする。
【００１９】
請求項１１記載の発明は、リジッド部とフレキシブル部から成る多層フレキシブル配線板と記録メディアを収納する記録メディア収納箱及び電池を収納する電池ボックスを有するカメラにおいて、前記カメラ筐体内に収容された記録メディア収納箱の複数の面を多層フレキシブル配線板により囲むように配置することを特徴とする。
【００２０】
請求項１２記載の発明は、請求項１１記載の発明において、多層フレキシブル配線板においてリジッド部同士が複数のフレキシブル部により接続されることを特徴とする。
【００２１】
請求項１３記載の発明は、請求項１２記載の発明において、複数のフレキシブル部が請求項１における記録メディア収納箱の異なる面に配置されることを特徴とする。
【００２２】
請求項１４記載の発明は、請求項１１記載の発明において、多層フレキシブル配線板においてＣＰＵ回路及び信号処理回路部をを電池ボックスの面積の最大の面に配置したことを特徴とする。
【００２３】
請求項１５記載の発明は、請求項１１記載の発明において、多層フレキシブル配線板において電池ボックスの電源端子設置部に電源回路部が配置されていることを特徴とする。。
【００２４】
請求項１６記載の発明は、請求項１１記載の発明において、前記カメラは可動部と本体部から成り、前記フレキシブル部により、前記可動部と前記本体部が接続されていることを特徴とする。
【００２５】
請求項１７記載の発明は、請求項１６記載の発明において、可動部は液晶ディスプレイであることを特徴とする。
【００２６】
請求項１８記載の発明は、請求項１６記載の発明において、可動部は電池蓋であることを特徴とする。
【００２７】
請求項１９記載の発明は、請求項１６記載の発明において、可動部はポップアップストロボであることを特徴とする。
【００２８】
請求項２０記載の発明は、請求項１１記載の発明において、多層フレキシブル配線板に電源端子が実装されることを特徴とする。
【発明の効果】
【００２９】
本発明によれば、多層フレキシブル配線板を用いて複数の電池を囲むように配置することで部品点数が減り、カメラ筐体内の空間を有効に利用でき、小型化を行うことが可能である。又、複数の部品実装部の接続部を多層フレキシブル配線板により一体的に構成することで、電気的信頼性の高いプリント基板を実現し、組立作業を容易化することができる。
【発明を実施するための最良の形態】
【００３０】
以下に本発明の実施の形態を添付図面に基づいて説明する。
【００３１】
＜実施の形態１＞
本実施の形態においてはデジタルカメラに適用して説明するが、ビデオカメラ等の電池ボックス及び回路基板を有するカメラでも良い。
【００３２】
図１は本発明に係るカメラの透視図である。図１に示すように１はカメラ本体であり，２は電池ボックス、４は多層フレキシブル基板、６はストロボ発光部、７は光学ファインダ窓、８はシャッターボタン、９はカメラの電源ボタン、１０は鏡筒である。
【００３３】
図２は図１のＡ−Ａ線断面図である。
【００３４】
図２において、３は電池蓋、５は記録メディア収納箱、１１はシャッタースイッチ、１３は電源スイッチ、１９は２次電池、１４は電源端子である。その他の構成部品に関しては省略してある。
【００３５】
図３に背面透視図を示す。図３において、１５はＣＣＤ、１６はＣＣＤホルダー、１７はＣＣＤフレキシブル基板、１８はフレキコネクタである。
【００３６】
図４に多層フレキシブル基板の展開図を示す（ここでは実装部品は省略している）。
【００３７】
多層フレキシブル基板４は、高密度に電子部品が実装されたリジッド部と折り曲げが可能なフレキシブル部で構成されている。ここで４ａ，４ｂ，４ｃ，４ｄのリジッド部は、部品を高密度に実装するための部品実装部である。４ｅ，４ｆ，４ｇ，４ｈは各部品の実装部を電気的に接続するための接続部であるが、レリーズスイッチ１１、電源スイッチ１２等の比較的高密度に実装する必要のない部品は実装することができる。４ｅ，４ｆ，４ｇ，４ｈは１層の配線層で構成されている。この多層フレキシブル基板は多層フレキシブル基板を製作する過程で４ｅ，４ｆ，４ｇ，４ｈの部分が１層の配線層になるように不必要な層を剥ぎ取るようにして製作される。
【００３８】
本実施の形態では、リジッド部は８層の配線層、フレキシブル部は１層の配線層で構成されているが、リジッド部は基板を構成する実装規模や仕様によって３層以上の配線層であれば自由に構成できる。又、フレキシブル部も２層以下の配線層であれば屈曲性を維持しながらリジッド部への電気的接続が可能である。４ｅ，４ｆ，４ｇ，４ｈの部分を多くの信号を通すために２層にすることも可能であるが、基板を配置する際に９０度に曲げることになり、基板内部の銅箔が折り曲げ位置で断線する恐れがある。そのため１層のみを使用するのが望ましい。
【００３９】
電池ボックス２は、カメラ本体内に配置されており、カメラ底面に設けられた電池蓋３において出し入れされる。記録メディア収納箱５は、多層フレキシブル基板４上に実装されている。
【００４０】
電池ボックス上面に対応する基板部４ｆにはレリーズスイッチ１１及び電源スイッチ１２が実装される。
【００４１】
多層フレキシブル基板４は、フレキシブル部４ｅ，４ｆ，４ｇ，４ｈで９０度に曲げられ、電池ボックス２の各面をリジッド部４ａ，４ｂ，４ｃ，４ｄ或はフレキシブル部４ｅ，４ｆ，４ｇ，４ｈで覆うように配置される。多層フレキシブル基板４の配置に対応する電池ボックス２側には一対の位置決め用のボス部及びねじ穴が設けられており、多層フレキシブル基板４上の位置決め穴にボス部を挿入し位置決めをした後、ネジにより固定される。
【００４２】
カメラの制御を行うＣＰＵを実装したメイン基板部４ｃを中心に周辺回路基板４ａ，４ｂ，４ｃ，４ｄがフレキシブル部４ｅ，４ｆ，４ｇ，４ｈを介して繋がっている。ＣＰＵは、撮像エンジン、ＴＧ、ＣＤＳＡＤ等のＩＣと多くの信号をやり取りするため、同じメイン基板部４ｃに実装される。このメイン基板部４ｃは、実装面積を大きく確保するために電池ボックスの面積の最大となる面に沿って配置される。
【００４３】
ＣＣＤ１５は、ＣＣＤフレキシブル基板１７に半田付けされており、ＣＣＤホルダー１６に接着固定された後、鏡筒１０にネジ止めされている。ＣＣＤフレキシブル基板１７は、多層フレキシブル基板４とは別の基板からなっており、フレキコネクタ１８を介して電気的に接続される。ＣＣＤ１５からの信号は、ＣＣＤフレキシブル基板１７を介してＴＧ、ＣＤＳＡＤの実装されたメイン基板部４ｃに送られてくる。ＣＣＤ１５は、鏡筒１０の背面側に設置されているため、多層フレキシブル配線板のメイン基板部４ｃはカメラ背面側に配置するのが望ましい。これによりＣＣＤ１５からメイン基板部４ｃまでの距離を短くすることができ、ＣＣＤ信号への外部からのノイズの混入や信号の減衰等を最小限にすることが可能である。
【００４４】
電源端子１４は、電池ボックス２のカメラ正面側に設置される。多層フレキシブル基板４における電源回路部は電池ボックスにおいて電池端子の設置される面に近接して配置される。本実施の形態では多層フレキシブル基板の４ａが電源回路部となる。このことにより大電流の流れる部分の長さが短くなり、電力損失を抑えることが可能となる。
【００４５】
記録メディア収納箱５は、リジッド部４ｃの電池ボックス側に実装されている。そして、記録メディア収納箱５を実装したリジッド部を電池ボックス２のボス部を利用して位置決めし、ネジにより固定すると記録メディア収納箱５が電池ボックス２に接するように配置される。これによりメディア収納箱５を固定する作業が不要となり、組み立ての工数を削減することができる。電池蓋３は、記録メディア収納箱５の蓋も兼ねている。
【００４６】
図５に筐体内部を示すカメラ正面斜視図を示す。
【００４７】
多層フレキシブル基板４のリジッド部４ｂにストロボ基板部が配置されている。電池ボックス上面に対応するフレキシブル部４ｆにはレリーズスイッチ１１及び電源スイッチ１２が実装される。同じく電池ボックス上面に対応するリジッド部４ｂにはストロボ回路が実装されている。ストロボ基板部にはトリガーコイルやトランス等の比較的大きな部品が実装されるため、レリーズスイッチ１１及び電源スイッチ１２をストロボ基板部４ｂに実装したのではレリーズボタン８との距離が開き過ぎてしまうが、スリットを設けて４ｂと４ｆに分けることにより高さの異なる部品においても基板上の近接した部分に実装が可能となる。
【００４８】
＜実施の形態２＞
本実施の形態では実施の形態１に対して、多層フレキシブル基板の配置のバリエーションについて説明する。本実施の形態におけるカメラの構造及び多層フレキシブル基板のメイン基板部の配置は実施の形態１と同様であるため、ここではその差異について詳しく説明する。
【００４９】
図６にカメラの背面斜視図を示す。１９は液晶ディスプレイ、２０は液晶ディスプレイのヒンジ部である。図７に実施例２における多層フレキシブル基板の展開図を示す。４ｉはＬＣＤ基板部、４ｊはフレキシブル基板である。
【００５０】
液晶ディスプレイ１９は可動式となっており、ヒンジ部２０で１８０度回転することが可能である。このとき、パネル付近に撮影画像を表示するための基板が必要になる。多層フレキシブル基板のフレキシブル部はこのヒンジ部に配置され、液晶ディスプレイ内部にＬＣＤ基板部が配置される。ＬＣＤパネル及びバックライトのフレキシブル基板はＬＣＤ基板部にコネクタにより接続される。これによりＬＣＤ基板及びヒンジ部を通すためのフレキシブル基板を別途必要としない構成が可能となる。
【００５１】
又、液晶ディスプレイに限らず、電池蓋やポップアップストロボのヒンジ部にフレキシブル部を配置しても良い。
【００５２】
メイン基板部と一体構造を保ちながら部品点数を減らし、基板数を減少させ、小型高密度を実現することが可能である。
【図面の簡単な説明】
【００５３】
【図１】本発明に係るカメラの正面透視図である。
【図２】図１のＡ−Ａ断面図である。
【図３】本発明に係るカメラの背面透視図である。
【図４】本発明の実施の形態１の多層フレキシブル基板の展開図である。
【図５】本発明の実施の形態１の筐体内部を示すカメラ正面斜視図である。
【図６】本発明の実施の形態２のカメラ背面斜視図である。
【図７】本発明の実施の形態２の多層フレキシブル基板の展開図である。
【図８】従来の多層フレキシブル基板の組み立て状態を示す図である。
【符号の説明】
【００５４】
１    カメラ本体
２    電池ボックス
３    電池蓋
４    多層フレキシブル基板
５    記録メディア収納箱
８    シャッターボタン
９    電源ボタン
１４  電源端子
１９  ２次電池
１５  ＣＣＤ
１７  ＣＣＤフレキシブル基板
１８  フレキコネクタ
【図１】
2006047449.tif 000003
【図２】
2006047449.tif 000004
【図３】
2006047449.tif 000005
【図４】
2006047449.tif 000006
【図５】
2006047449.tif 000007
【図６】
2006047449.tif 000008
【図７】
2006047449.tif 000009
【図８】
2006047449.tif 000010